(57)【要約】  斜面エッチング処理のための方法及び装置が提供され、基板の上方に配置されたマスクを含む処理チャンバに基板を置くことであって、基板がエッジ及び中心を有し、かつ堆積層を含む、基板を置くことを含む。方法は、マスクの外面に沿って基板のエッジにプラズマを流すことと、エッジをプラズマに曝露することと、プラズマでエッジから堆積層をエッチングすることとを含む。方法は、マスクの内面に位置付けられた２つ以上の開口部から基板の中心にパージガスを流すことと、中心の基板の上面をパージガスに曝露し、中心から上面に沿ってエッジに向かってパージガスを径方向に流し、プラズマ及びパージガスの界面にエッチングプロファイルを形成することとを更に含む。【選択図】図１
2020520097.tif 000002
【特許請求の範囲】
【請求項１】
処理チャンバの内部のカバープレートの上に基板を置くことであって、前記基板がエッジ及び中心を有し、かつ前記エッジ及び前記中心の上に堆積層を含み、前記処理チャンバが、前記基板の上方に配置されたマスクを含む、基板を置くことと、
前記マスクの外面に沿って前記基板の前記エッジにプラズマを流すことと、
前記エッジにおいて前記基板の上面を前記プラズマに曝露し、前記プラズマで前記エッジから前記堆積層をエッチングすることと、
前記マスクの内面に位置付けられた２つ以上の開口部から前記基板の前記中心にパージガスを流すことと、
前記中心において前記基板の前記上面を前記パージガスに曝露し、前記中心から前記上面に沿って前記エッジに向かって前記パージガスを径方向に流し、前記プラズマ及び前記パージガスの界面にエッチングプロファイルを形成することと
を含む方法。
【請求項２】
前記プラズマがプロセスガスから生成され、前記方法が、少なくとも前記プロセスガスの流量、前記パージガスの流量、又は両方の前記流量を変更することにより、前記エッチングプロファイルを調整することを更に含む、請求項１に記載の方法。
【請求項３】
前記処理チャンバが、前記基板の周囲及び下に配置されたエッジリングを更に含み、前記方法が、プラズマ曝露により前記エッジリングを加熱することと、熱エネルギーを前記エッジリングから前記エッジに伝達することにより前記エッジを加熱することとを更に含む、請求項１に記載の方法。
【請求項４】
前記マスクの前記内面に位置付けられた２つ以上の開口部が、３つ、４つ、又は５つの開口部を含む、請求項１に記載の方法。
【請求項５】
前記カバープレートが基板支持体の上に配置され、前記カバープレートが波状のエッジを有する、請求項１に記載の方法。
【請求項６】
前記カバープレートが、中心開孔を囲む複数の開口部を含む、請求項１に記載の方法。
【請求項７】
前記エッジが約０．５ｍｍから約５ｍｍの径方向の幅を有する、請求項１に記載の方法。
【請求項８】
前記基板と前記マスクとの間の距離が１００ミル未満である、請求項１に記載の方法。
【請求項９】
前記プラズマが、Ｎ２、Ｏ２、ＮＦ３、Ａｒ、Ｈｅ、又はそれらの任意の組み合わせを含むプロセスガスから生成され、前記パージガスが、Ａｒ、Ｈｅ、若しくはＮ２、又はそれらの任意の組み合わせを含む、請求項１に記載の方法。
【請求項１０】
処理チャンバ内に基板を置くことであって、前記基板がエッジ及び中心を有し、かつ前記エッジ及び前記中心の上に堆積層を含み、前記処理チャンバが、前記基板の周囲及び下に配置されたエッジリング、及び前記基板の上方に配置されたマスクを含む、基板を置くことと、
前記マスクの外面に沿って前記基板の前記エッジにプラズマを流すことと、
前記エッジにおいて前記基板の上面を前記プラズマに曝露し、前記プラズマで前記エッジから前記堆積層をエッチングすることと、
前記マスクの内面に位置付けられた２つ以上の開口部から前記基板の前記中心にパージガスを流すことと、
前記中心において前記基板の前記上面を前記パージガスに曝露し、前記中心から前記上面に沿って前記エッジに向かって前記パージガスを径方向に流し、前記プラズマ及び前記パージガスの界面にエッチングプロファイルを形成することと、
プラズマ曝露により前記エッジリングを加熱することと、前記エッジリングから前記エッジに熱エネルギーを伝達することにより前記エッジを加熱することと
を含む方法。
【請求項１１】
前記プラズマがプロセスガスから生成され、前記方法が、少なくとも前記プロセスガスの流量、前記パージガスの流量、又は両方の前記流量を変更することにより、前記エッチングプロファイルを調整することを更に含む、請求項１０に記載の方法。
【請求項１２】
前記マスクの前記内面に位置付けられた前記２つ以上の開口部が、３つ、４つ、又は５つの開口部を含む、請求項１０に記載の方法。
【請求項１３】
前記エッジが約０．５ｍｍから約５ｍｍの径方向の幅を有する、請求項１０に記載の方法。
【請求項１４】
前記基板と前記マスクとの間の距離が１００ミル未満である、請求項１０に記載の方法。
【請求項１５】
基板支持体と、
前記基板支持体の上に配置されたカバープレートと、
前記カバープレートの周囲及び下に配置されたエッジリングと、
前記カバープレートの上方に配置されたマスクであって、前記マスクが、外面、内面、及び前記内面に位置付けられた２つ以上の開口部を含む、マスクと、
前記マスクの前記外面と流体連結している遠隔プラズマシステムと
を含む処理チャンバ。
【発明の詳細な説明】
【技術分野】
【０００１】
本明細書に記載の実施形態は、一般に、基板を処理するための方法及び装置に関する。より詳細には、本明細書に記載の実施形態は、斜面エッチング処理のための方法及び装置に関する。
【背景技術】
【０００２】
プラズマ処理は、集積回路、フラットパネルディスプレイ、磁気媒体、及びその他のデバイスを製造するための多くの半導体製造プロセスで一般的に使用される。プラズマ又はイオン化ガスは、遠隔プラズマ源（ＲＰＳ）の内部で生成され、処理チャンバに流入し、次いでワークピースに適用されて、堆積、エッチング、注入などのプロセスを実行する。
【０００３】
しかし、基板の側面や角など、基板の傾斜した直線状のエッジは、処理中に基板の他の部分で受ける条件とは異なりうる条件を受ける。これらの異なる条件は、膜の厚さ、エッチングの均一性、及び／又は膜応力などの処理パラメータに影響する。基板の中心とエッジとの間のエッチング速度及び／又は膜の厚さ若しくは応力といった膜の特性の違いが顕著になり、デバイスの特性が最適化されなくなる可能性がある。
【０００４】
したがって、当技術分野で必要とされるのは、斜面エッチング処理のための改善された方法及び装置である。
【発明の概要】
【０００５】
本明細書で記載及び議論される実施形態は、一般に、基板を処理するための方法及び装置に関する。より詳細には、実施形態は、斜面エッチング処理のための方法及び装置に関する。１つ又は複数の実施形態では、方法は、処理チャンバの内部のカバープレートの上に基板を置くことであって、基板はエッジ（例えば、斜面エッジ又は真っ直ぐなエッジ）及び中心を有し、エッジ及び中心に堆積層を含む、基板を置くことを含む。処理チャンバは、基板の上方に配置されたマスクを含む。方法はまた、マスクの外面に沿って基板のエッジにプラズマを流し、エッジの基板の上面をプラズマに曝露し、プラズマでエッジから堆積層をエッチングすることを含む。方法は、マスクの内面に位置付けられた２つ以上の開口部から基板の中心にパージガスを流すことと、中心の基板の上面をパージガスに曝露し、中心から上面に沿ってエッジに向かってパージガスを径方向に流し、プラズマ及びパージガスの界面にエッチングプロファイルを形成することとを更に含む。
【０００６】
他の実施形態では、方法は、基板を処理チャンバ内に置くことであって、基板が、エッジ（例えば、斜面又は真っ直ぐなエッジ）及び中心を有し、エッジ及び中心に堆積層を含む、基板を置くことを含む。処理チャンバはまた、基板の周囲及び下に配置されたエッジリングと、基板の上方に配置されたマスクを含む。方法はまた、マスクの外面に沿って基板のエッジにプラズマを流し、エッジの基板の上面をプラズマに曝露し、プラズマでエッジから堆積層をエッチングすることを含む。方法は、マスクの内面に位置付けられた２つ以上の開口部から基板の中心にパージガスを流すことと、中心の基板の上面をパージガスに曝露し、中心から上面に沿ってエッジに向かってパージガスを径方向に流し、プラズマ及びパージガスの界面にエッチングプロファイルを形成することとを更に含む。また、この方法は、プラズマ曝露によりエッジリングを加熱することと、エッジリングからエッジに熱エネルギーを伝達することによりエッジを加熱することとを含む。
【０００７】
１つ又は複数の実施形態では、エッチングプロセスのための処理チャンバが提供され、基板支持体、基板支持体上に配置されたカバープレート、及びカバープレートの周囲及び下に配置されたエッジリングを含む。処理チャンバはまた、カバープレートの上方に配置されたマスクを含み、外面、内面、及び内面に配置された２つ以上の開口部を含む。処理チャンバは、マスクの外面と流体連結している遠隔プラズマシステムを含む。
【０００８】
１つ又は複数の例では、プラズマは、１つ又は複数のプロセスガスから点火される又はそうでなければ生成され、方法は、少なくともプロセスガスの流量、パージガスの流量、又は両方の流量を変更することにより、エッチングプロファイルを調整することを更に含む。マスクの内面に位置付けられた２つ以上の開口部は、３つ、４つ、５つ、又はそれ以上の開口部を含むことができる。プロセスガスは、Ｎ２、Ｏ２、ＮＦ３、Ａｒ、Ｈｅ、若しくはそれらの任意の組み合わせであるか又はそれらを含むことができ、パージガスは、Ａｒ、Ｈｅ、若しくはＮ２、又はそれらの任意の組み合わせであるか又はそれらを含むことができる。
【０００９】
いくつかの例では、カバープレートは、基板支持体の上に配置することができ、カバープレートは、スカラップ状（波状（ｓｃａｌｌｏｐｅｄ））のエッジを有することができ、及び／又はカバープレートは、中心開孔を囲む複数の開口部を含むことができる。他の例では、基板とマスクとの間の距離は、１００ミル未満とすることができ、エッジは、１．５ｍｍ未満といった、約０．５ｍｍから約５ｍｍの径方向の幅を有することができる。
【００１０】
本開示の上述の特徴を詳細に理解できるように、上記で簡単に要約されている本開示のより詳細な説明が、実施形態を参照することによって得られ、それらの実施形態の一部が添付図面に示される。しかし、本開示は他の等しく有効な実施形態も許容しうることから、添付の図面が本開示の典型的な実施形態のみを例示しており、よって本開示の範囲を限定すると見なすべきではないことに留意されたい。
【図面の簡単な説明】
【００１１】
【図１】本明細書で議論及び説明される１つ又は複数の実施形態による処理チャンバ１００の概略断面図を示す。
【図２】本明細書で議論及び説明される１つ又は複数の実施形態による、図１のチャンバで利用されるマスクの概略底面図を示す。
【図３】本明細書で説明及び記載される１つ又は複数の実施形態による、図１のチャンバで利用されるエッジリングの概略底面図を示す。
【図４】本明細書で説明及び説明される１つ又は複数の実施形態による、図１のチャンバで利用されるカバープレートの概略上面図を示す。
【発明を実施するための形態】
【００１２】
本明細書に記載の実施形態は、一般に、基板を処理するための方法及び装置に関する。より具体的には、本明細書で議論及び説明される実施形態は、斜面エッチング処理のための方法及び装置に関する。１つ又は複数の実施形態において、方法は、処理チャンバ内部に基板を置くことであって、基板はエッジ（例えば、斜面エッジ又は真っ直ぐなエッジ）及び中心を有し、エッジ及び中心に堆積層を含む、基板を置くことを含む。処理チャンバは、基板の上方に配置されたマスクを含む。方法はまた、マスクの外面に沿って基板のエッジに１つ又は複数のプロセスガスから生成されたプラズマを流し、エッジの基板の上面をプラズマに曝露し、プラズマでエッジから堆積層をエッチングすることを含む。方法は、マスクの内面に位置付けられた２つ、３つ、４つ、又はそれより多い開口部、孔、又はポートから基板の中心にパージガス（例えばＡｒ）を流すことと、中心の基板の上面をパージガスに曝露し、中心から上面に沿ってエッジに向かってパージガスを径方向に流し、プラズマ及びパージガスの界面にエッチングプロファイルを形成することとを更に含む。
【００１３】
図１は、本開示の１つの態様による処理チャンバ１００の概略断面図を示す。図示されるように、処理チャンバ１００は、基板１５４といった基板のエッチングに適したエッチングチャンバである。本開示の例示的な態様から利益を得るように適合されうる処理チャンバの例は、カリフォルニア州サンタクララにあるＡｐｐｌｉｅｄ  Ｍａｔｅｒｉａｌｓ、Ｉｎｃ．から市販されているＰｒｏｄｕｃｅｒ（登録商標）処理チャンバ及びＰｒｅｃｉｓｉｏｎ（登録商標）処理チャンバである。他の製造業者からのものを含む他の処理チャンバが、本開示の態様から利益を得るように適合されうることが企図される。
【００１４】
処理チャンバ１００は、様々なプラズマプロセスに使用されうる。１つの態様では、処理チャンバ１００は、１つ又は複数のエッチング剤でドライエッチングを実行するために使用されうる。例えば、処理チャンバは、１つ又は複数のフッ化炭素（例えば、ＣＦ４又はＣ２Ｆ６）、Ｏ２、ＮＦ３、Ｎ２又はそれらの組み合わせなどの前駆体からのプラズマの点火に使用されてもよい。別の実施形態では、処理チャンバ１００は、１つ又は複数の化学薬剤を用いたプラズマ強化化学気相堆積に使用されてもよい。
【００１５】
処理チャンバ１００は、チャンバ本体１０２、リッドアセンブリ１０６、基板支持アセンブリ１０４、及びガス出口１６０を含む。リッドアセンブリ１０６は、チャンバ本体１０２の上端に位置付けられる。図１のリッドアセンブリ１０６及び基板支持アセンブリ１０４は、プラズマ又は熱処理のための任意の処理チャンバとともに使用されうる。また、上記の構成要素には、他の製造業者のチャンバが使用されてもよい。基板支持アセンブリ１０４は、チャンバ本体１０２の内部に配置され、リッドアセンブリ１０６は、チャンバ本体１０２に結合され、処理空間（ｐｒｏｃｅｓｓｉｎｇ  ｖｏｌｕｍｅ）１２０の基板支持アセンブリ１０４を囲む。チャンバ本体１０２は、その側壁に形成されたスリットバルブ開口部１２６を含む。スリットバルブ開口部１２６は、基板移送のための基板ハンドリングロボット（図示せず）による内部空間１２０へのアクセスを可能にするために選択的に開閉される。
【００１６】
絶縁体１１０は、セラミック又は金属酸化物、例えば酸化アルミニウム及び／又は窒化アルミニウムなどの誘電体であってもよく、電極１０８に接触し、電極１０８をガス分配器１１２及びチャンバ本体１０２から電気的及び熱的に分離する。ガス分配器１１２は、プロセスガスを処理空間１２０に進入可能にするための開口部１１８を特徴とする。プロセスガスは、１つ又は複数の導管１１４を介して処理チャンバ１００に供給されてもよく、プロセスガスは、開口部を通って基板１５４に流れる前に、ガス混合領域１１６に進入してもよい。ガス分配器１１２は、遠隔プラズマ源（ＲＰＳ）に結合されてもよい。
【００１７】
基板支持アセンブリ１０４は、真空チャック、静電チャック、又は加熱されたペデスタルといった、任意の適切な基板支持体でありうる。１つ又は複数の実施形態では、基板支持体は「Ｌ」字形のペデスタルであり、ロードロック設置のためのスペースを節約する。支持アセンブリは、真空チャックライン、加熱ライン、及び基板支持アセンブリ１０４の温度を調べる熱電対を有する。他の実施形態では、基板支持アセンブリ１０４は、処理のために基板１５４を支持するように構成される。リフト機構により、基板支持アセンブリ１０４は、チャンバ本体１０２内で、より低い移送位置と複数の上昇したプロセス位置との間を垂直に移動することができる。基板支持アセンブリ１０４は、金属又はセラミック材料、例えば、アルミニウム、酸化アルミニウム、窒化アルミニウム、又は酸化アルミニウム／窒化アルミニウム混合物といった、金属酸化物若しくは窒化物又は酸化物／窒化物混合物から形成されうる。ヒータ１２２は、基板支持アセンブリ１０４に結合されてもよい。ヒータ１２２は、基板支持アセンブリ１０４内に埋め込まれてもよく、又は基板支持アセンブリ１０４の表面に結合されてもよい。ヒータ１２２は、処理チャンバ１００の外部に延びる電源に結合されてもよい。
【００１８】
反応物ブロッカー又はマスク１５０は、リッドアセンブリ１０６の一部であってもよく、又は別個の取り外し可能なピースであってもよい。マスク１５０は、平坦な底面を備えたドーム形状の本体２０４を有する。図１に示されるように、マスク１５０は、外面１５１と内面１５３とを含む。マスク１５０の外面１５１は、ガス分配器１１２及びプラズマ源１６２（例えば、遠隔プラズマ源）などの処理チャンバ１００の上部に向かって面している。プラズマ源１６２は、マスク１５０に隣接し、バッフル又はシールド１６４を含み、プラズマを基板１５４に方向付ける。シールド１６４は、上記のようにマスク１５０の周りに延び、外面１５１を包囲する。マスク１５０の内面１５３は、基板支持アセンブリ１０４及び基板１５４などの処理チャンバ１００の下部に面している。以下で更に説明するように、マスク１５０の外面１５１は、プラズマ及び／又はプロセスガスを基板１５４のエッジに方向付けるのを助け、マスク１５０の内面１５３は、パージガスを基板１５４の中心に方向付けるのを助ける。
【００１９】
図１及び図２に示されるように、組み合わせると、マスク１５０は、１つ又は複数の導管１１４を受け入れる円形開孔を有する。開孔の中心で、出口は、２つ、３つ、又はそれより多い孔、ポート、又は開口部２０２（３つの開口部が図２に示される）を含み、マスク１５０の下面に沿ったすべての方向にパージガス（例えば、Ａｒ、Ｈｅ、Ｎ２又はそれらの混合物）の均一な分布を保証するチョーク（絞り）を形成する。開口部２０２は、パージガスの１つの開口部のみを有するのとは対照的に、基板１５４の上面にわたるパージガスのより均一な流路を提供する２つ、３つ、４つ、５つ、又はそれより多い孔を含むことができる。１つ又は複数の実施形態では、開口部２０２は、均一なサイズ及び形状であり、等距離に間隔を空けていてもよい。マスク１５０は、基板１５４に接触するか、基板１５４に比較的接近するように下げられてもよい。マスク１５０は、石英又は他のセラミック材料であってもよく、必要に応じて、Ｎｉ若しくはＮｉＯ、又はいくつかの実施形態では、イットリア若しくは酸化イットリアといった耐化学物質又は耐プラズマ物質でコーティングされてもよい。１つ又は複数の実施形態では、マスク１５０の底面は、例えば周縁部において、エッチングガスラジカルを再結合するための触媒であるニッケルコーティングを含む。マスク１５０のニッケルコーティングは、エッチングガスラジカルが、マスク１５０のめっき又は保護エリアの下の膜上を流れるのを低減又は排除する。したがって、マスク１５０上のニッケルコーティングは、めっきエリアの下の膜を保護するのに役立つ。ニッケルコーティングは、ニッケル、酸化ニッケル、それらの合金、又はそれらの組み合わせであるか、それらを含むことができる。
【００２０】
図３は、本開示の１つの態様による、図１のチャンバで利用されるエッジリング１８０の概略上面図を示す。１つの実施形態では、エッジリング１８０は、マスク１５０の接点に隣接して配置される。エッジリング１８０は、環状本体３０６を有する。エッジリング１８０は、基板アセンブリ１０４と係合するためのいくつかの開口部３０４を含む。エッジリング１８０は、基板アセンブリ１０４上に配置される。１つ又は複数の実施形態では、エッジリング１８０は、カバープレート１５２に隣接して配置されてもよい。エッジリング１８０は、石英又はアルミナなどのセラミック材料を含んでもよい。エッジリング１８０は、複数の突起３０２を有する。突起３０２は、円形の隆起、正方形、長方形、六角形、又は他の形状であってもよい。突起３０２は、本体３０６の周りに配置される。１０個の突起３０２が図示されているが、より多い又はより少ない突起３０２が存在しうる。突起は、エッジリング１８０の本体３０６の外周周辺に等間隔で配置されてもよい。１つ又は複数の実施形態では、突起３０２は、基板アセンブリ１０４及び基板１５４からの熱伝達を低減する。加えて、エッジリング１８０は、基板の上部と基板１５４の底部との間に圧力差を提供する。他の実施形態では、エッジリング１８０は、基板１５４の上方に均一なレベリング（高さ設定）を提供する。
【００２１】
別の実施形態では、エッジリング１８０は、基板１５４の周囲及び下に配置され、エッチングプロセス中に、エッジリング１８０は、処理チャンバ１００内にある間にプラズマ曝露により加熱される。エッジリング１８０が加熱されると、吸収された熱エネルギーは、エッジリング１８０から基板１５４のエッジに伝達される。したがって、基板１５４のエッジは、エッジリング１８０からの局所的な加熱により加熱される。エッジは、最小限の接点で加熱面（ヒータ）上で支持されているため、プラズマからのラジカル及び／又はイオンに曝露される表面積は、そうでない場合に曝露されるであろうよりも大きくなる。基板１５４のエッジとエッジリング１８０との間の間隙を最小化することにより、エッジリング１８０及びヒータ表面上のプラズマ濃度が増加する。基板１５４のエッジの局所的な加熱は、基板上のエッチング速度を増加させる。
【００２２】
図４は、本開示の１つの態様による、図１のチャンバで利用されるカバープレート１５２の概略上面図を示す。カバープレート１５２は、中心開孔４０２、複数の開口部４０４、複数のファスナ４１０、スカラップ状のエッジ４０６、及び複数のスポーク４０８を含む。中心開孔４０２は、円形開口部、六角形開口部、長方形開口部、又は任意の他の形状の開口部でありうる。複数の開口部４０４は、中心開孔４０２の周りで周方向にずれた円形開口部である。複数の開口部４０４のそれぞれは、中心開孔４０２よりも小さい。本開示は、８つの開口部４０４を示すが、複数の開口部４０４は、８つより多い又は少ない開口部４０４を含むことができる。１つ又は複数の実施形態では、開口部４０４は、中心開孔４０２の周りに等間隔に配置される。別の実施形態では、開口部４０４同士の間の距離は変化する。複数のスポーク４０８は、カバープレート１５２の溝である。複数のスポーク４０８は、中心開孔４０２を取り囲む円形溝から径方向に広がる。複数のスポーク４０８は、スカラップ状のエッジ４０６に向かって径方向外側に延びる直線的溝である。スカラップ状のエッジ４０６は、均一なくぼみを有する波状パターンを含む。スカラップ状のエッジ４０６は、丸いエッジ、正方形のエッジ、又は尖ったエッジを有することがある。スカラップ状のエッジ４０６は、カバープレート１５２及びチャックリング１８０上に置く際の基板の滑りを防止する。
【００２３】
動作中、基板をエッチングする方法は、処理チャンバの内部の基板支持体上に基板を置くことにより開始する。基板は、中心及び斜面のエッジを有する。同じチャンバ又は異なるチャンバで堆積プロセスを行った後に、基板は、基板の上面に堆積層（例えば、誘電体層又は任意の他の種類の層）を有する。堆積層は、基板の中心及びエッジの上又は上方に堆積させる又はそうでなければ配置することができる。
【００２４】
マスク１５０を基板１５４の上方まで下げて、マスク１５０と基板１５４との間の小さな間隙を約０．００３インチから約０．１００インチの範囲に維持する。いくつかの実施形態において、基板１５４及びエッジリング１８０は、マスク１５０に接触するように持ち上げられる。１つ又は複数の実施形態では、基板１５４とマスク１５０との間の距離は、１００ミル未満、約５ミルから約２０ミルの範囲、例えば約１０ミルなどである。エッジリング１８０は、基板１５４の周囲／下に配置される。他の実施形態では、エッジリング１８０は、カバープレート１５２の周りに配置される。別の実施形態において、エッジリング１８０は、基板アセンブリ１０４上方に配置される。方法は、基板１５４の上部及びエッジに隣接してプラズマ及び／又はプロセスガスを流すことにより継続する。プラズマ及び／又はプロセスガスは、１つ又は複数のエッチャントガスであるか、それを含むことができる。プラズマ及び／又はプロセスガスは、堆積層又は材料をエッジでエッチングする。プラズマ及び／又はプロセスガスは、Ｎ２、Ｏ２、ＮＦ３、Ａｒ、Ｈｅ、又はそれらの任意の組み合わせであるか、それらを含むことができる。パージガスは、Ａｒ、Ｈｅ、Ｎ２、又はそれらの任意の組み合わせであるか、それらを含むことができる。方法は、基板１５４の中心周囲のマスク１５０の開口部２０２を通してパージガスを流すことを更に含む。
【００２５】
１つ又は複数の例では、プロセスガス若しくはエッチャントガスは、イオン化されるか、又はそうでなければＲＰＳ若しくは別のプラズマ源によって点火されて、プラズマを生成する。プラズマは、マスク１５０の上面を流れ追随し、マスク１５０の周囲から基板１５４のエッジに向かって流れ、エッジをエッチングする。プラズマが流れてエッチングしている間、パージガスは、マスク１５０の底面の開口部２０２から流れ、基板１５４の中心に向かって流れ、その後、基板の表面に沿って基板のエッジに向かって径方向に流れる。プラズマとパージガスの界面、又はプロセスガスとパージガスの界面は、基板のエッジにある。プラズマ及び／又はプロセスガス及びパージガスの流量は、基板１５４のエッジで所望のエッチングプロファイルを実現するように調整（独立して増減）又は別な方法で調節される。
【００２６】
第１の場所でプラズマ（例えば、エッチャントガス又はプロセスガス）を流し、第２の場所でパージガスを流すことによって、より均一で制御されたエッチングを実現することができる。更に、マスクのさまざまな開口部は小さなフローチョークを作成し、パージガスが確実にすべての方向に均一に分布するようにする。最後に、スカラップ状のカバープレートは、基板の配置及びピックアップ中に安定性を提供する。
【００２７】
プラズマは堆積層をエッチングし、基板のエッジを明らかにする。１つ又は複数の例では、エッジ（例えば、斜面エッジ又は直線エッジ）は、約０．５ｍｍから４ｍｍ未満、約０．５ｍｍから３未満、約０．５ｍｍから２ｍｍ未満、約０．５ｍｍから１．５ｍｍ未満、又は約０．５ｍｍから１ｍｍ未満といった、約０．５ｍｍから約５ｍｍの径方向の幅を有することができる。
【００２８】
上記は本発明の実施形態を対象とするが、本発明の基本的な範囲から逸脱することなく、本発明の他の及び更なる実施形態を考案することもでき、本発明の範囲は、以下の特許請求の範囲によって決定される。
【図１】
2020520097.tif 000003
【図２】
2020520097.tif 000004
【図３】
2020520097.tif 000005
【図４】
2020520097.tif 000006
【国際調査報告】
2020520097.tif 000007
2020520097.tif 000008
2020520097.tif 000009
2020520097.tif 000010
2020520097.tif 000011